(57)【要約】【課題】  本発明は、限られた空間内で管理保管される物品の登録探索において、コンピュータシステムによる管理と比較し、コンピュータ操作に不慣れな管理者でも容易に運用を可能とし、物品探索時の人的手間の削減を可能とする物品管理システムを提供する。【解決手段】  本発明によれば、コンピュータシステムを必要とせず、階層化された収納容器にCPU及び大容量メモリーを内蔵した通信タグを取付け、一方で小型軽量可搬型の専用情報登録検索装置を準備するのみで、簡単に管理が可能となり、上記課題を解決するものである。【選択図】図４
2010105756.tif 000002
【特許請求の範囲】
【請求項１】
管理保管対象物品の所在を事前登録しておき、必要時にその所在を探索するシステムであって、
１）前記管理保管対象物品を少なくとも１個保管可能な収納容器と、
２）前記収納容器に取付けられ、前記収納容器内に収納される物品名に相当する音声情報識別コードを含む情報コードを登録するデータベースを内部に有し、外部から受信した前記情報コードを前記データベースに登録し、外部からの指令信号により前記データベースを検索し前記情報コードを送信し得るCPU内蔵型通信タグと、
３）少なくとも前記通信タグとの送受信手段、音声録音再生の機能実現指示に供する操作手段、音声録音用マイク手段、音声再生用スピーカ手段、前記操作手段の操作信号を受け作動する制御部、前記音声録音用マイク手段から入力した音声フレーズと前記音声情報識別コードと一体化した音声情報を記憶する音声情報メモリー部を備えた前記通信タグとの交信可能な装置であって、物品管理者が発した音声フレーズを録音し記憶させると同時に前記音声フレーズを音声情報識別コード化し、前記情報コードを該収納容器内管理保管物品相当との位置付けにより該収納容器に取付けられた通信タグに送信し、該通信タグ内の前記データベースに登録させておき、収納容器内物品探索必要時、物品管理者の操作により該通信タグから音声情報識別コードを受信し、そのコードに符合する録音済み音声情報を前記音声情報メモリー部から読出し、音声フレーズに再生し得る携帯型の情報登録検索装置と、
を備え、収納容器内管理保管物品を対象に物品管理者が個々の物品名を固有名称として事前に音声フレーズとして登録し、収納容器内の物品を探索する際に前記情報登録検索装置により、前記通信タグから順次前記情報コードを読出し音声に変換し、物品管理者が聴覚で確認することにより、収納容器内を実際に人為的に探索しなくとも物品の所在を容易に確認可能とすることを特徴とする物品管理システム。
【請求項２】
管理保管対象物品の所在を事前登録しておき、必要時にその所在を探索するシステムであって、
１）物理的区画空間を有する収納容器内部に複数の収納容器を収納し得るもので、収納容器の内部に複数の収納容器が収納可能な階層化ディレクトリー構造を有し、前記物品名相当探索対象物品の属性毎に階層化ディレクトリーは構成され、前記物品名相当探索対象物品が収納される容器が最下位階層容器に相当する収納容器群と、
２）収納容器群の上位階層収納容器に取付けられ、該上位階層収納容器内収納容器の所在、更にその収納容器に収納される下位階層収納容器の所在を示す音声情報識別コード、該音声情報識別コードの属性に関する前記収納容器が属する階層を示すディレクトリー階層指定コード及び該収納容器が属する上位階層収納容器を示すディレクトリー階層間接続コードを登録するデータベースを内部に有し、外部から受信した前記情報コードを前記データベースに登録し、外部からの指令信号により前記データベース情報を検索し前記情報コードを送信し得るCPU内蔵型通信タグと、
３）少なくとも前記通信タグとの送受信手段、情報受信時の通信タグ内データベースからの引き出し情報の階層を指定するディレクトリー階層移動手段、情報送信時の通信タグ内データベースへの格納情報として前記音声情報識別コード、該音声情報識別コードの属性に関する前記収納容器が属する階層を指定するディレクトリー階層指定コード及び該収納容器が属する上位階層収納容器を指定するディレクトリー階層間接続コード送信手段、音声録音再生の機能実現指示に供する操作ボタン手段、音声録音用マイク手段、音声再生用スピーカ手段、前記操作手段の操作信号を受け作動する制御部、前記音声録音用マイク手段から入力した音声フレーズと前記音声情報識別コードと一体化した音声情報を記憶する音声情報メモリー部を備えた前記通信タグとの交信可能な携帯型の情報登録検索装置と、
を備え、階層構造内の収納容器を対象に物品管理者が探索対象に相当する登録物品の収納される収納容器に関する属性及びその所在を必要ディレクトリー数だけ音声フレーズ化、固有音声情報として録音、更にコード化し事前に該通信タグに登録、収納容器内物品探索必要時に情報登録検索装置により該通信タグから順次情報コードを読出し音声変換、聴覚確認することにより、該階層化収納容器内を実際に人為的に探索しなくとも対象とする物品が収納される容器の所在を迅速に確認可能とすることを特徴とする物品管理システム。
【請求項３】
前記通信タグは、探索し特定確認した前記音声情報識別コードを所定回数分、記憶し、物品探索の際、回数の多い順番に前記音声情報識別コードを送信することを特徴とする請求項１又は２に記載の物品管理システム。
【請求項４】
前記情報登録検索装置は、使用者を特定するためのセキュリティコード設定手段を更に備え、物品管理者毎にセキュリティコードを設定し、各自のセキュリティコードに基づき、操作機能を限定させ得ることを特徴とする請求項１又は２に記載の物品管理システム。
【発明の詳細な説明】
【技術分野】
【０００１】
本発明は、限られた空間内で複数の収納容器に多数の物品を管理保管している状態において、任意の時点に特定物品が必要な場合、その所在を探索する作業において、
収納容器が一般的に階層化されていることを想定し、その上位階層容器に情報をリード／ライト可能で、しかも内部に演算機能を可能とするCPU及びデータベースの構築が可能な大容量メモリーを内蔵した通信タグを取付け、更に管理対象物品が収納されている最下位階層容器にも同様の通信タグを取付け、また一方、通信タグとの情報送受信、情報受信時の通信タグ内データベースからの引き出し情報の階層指定、音声録音再生等の機能実現指示に供する操作ボタン、音声録音用マイク、音声再生用スピーカ、該装置使用者を特定するセキュリティコード設定器等が装備され、更に人為操作信号を受け種々機能を実現する制御部と、管理対象である総ての収納容器内収納容器所及び収納容器内収納物品名相当情報である音声情報識別コードと一体化した音声情報を記憶する音声情報メモリー部を内蔵した小型軽量な可搬型の情報登録検索装置を用い、総ての管理対象物品名および階層構造の収納容器群の階層化ディレクトリー情報を事前にすべて収納容器取付け通信タグに物品管理者自らの音声にて登録しておき、物品管理者が任意時点に特定物品が必要な場合、既述情報登録検索装置により通信タグ内情報を一定手順で読み出し録音時の同一音声にてその所在を再生し聴覚確認することによりその目的が達成可能なシステムであり、管理対象物品数が膨大であり、その所在が多岐に亘る場合においても極めて容易に且つ迅速に対象物品の探索がコンピューターシステムの介在がなくとも実現でき更に収納現場環境が物理的に複雑な場合でも、通信タグとの交信さえ可能ならば、それ以外の制約は全く受けず、極めてコストパフォーマンスの高い管理システム実現に寄与できる物品管理システムに関する。
【背景技術】
【０００２】
管理保管対象物品として一般家屋内家財道具を例に上げ解説する。家財道具は家庭内様々な部位、例えば、複数個のクローゼット、室内備付収納スペース、屋外倉庫等々に保管されている。この様に一般家庭の場合でもかなり多くの部位に分散管理保管されていることは容易に想像できる。
更にこれら収納空間の中に直接保管されている物品もあれば、小型物品例えば衣料類等は専用の箱に収納されている。家族規模または各々の家庭の歴史にもよるが、その管理対象規模は数千点に及ぶ例も少なくない。このような状況下でそれら物品の所在を確実に把握しておくことは、ほぼ不可能に近いと思われる。特に日本社会における高齢化層の増加、高齢者のみの世帯数増加を考慮した場合、自家屋内家財道具の所在管理という極めて当然であるべき日常作業を例にとっても、それらは極めて大きな負担となる。具体的に示すならば、即ち丸一日割いても所望の家財道具が見つからなかった。という例はしばしば見られる事例である。一部高齢者においては自家保有パソコンを用いてそれら管理をしている例、ボイスレコーダーを活用している例も散見されるが、それらはほんの一部事例であり殆ど解決手段が見出せていないのが実情である。
【０００３】
このような背景において発案されたのが本発明である。家庭内家財道具を例に上げれば、管理のポイントとしては、いかに容易に総ての家財道具を管理保管対象として登録可能か、更に任意時点の特定家財道具探索が如何に容易に且つ迅速に可能となるかという点である。即ち高齢者が苦痛なく運用できるシステムであり、若年層ならば更に抵抗なく運用できるシステムでなければならない。
従来システム例としてはボイスレコーダーの活用が上げられる、この場合個々の家財道具一品毎にその物品名及び所在を音声録音することにより登録する必要があり、特定家財道具探索時は登録してある音声情報総てを再生確認する必要があり、多くの家財道具を対象とすることは無理があり、既述課題を全面的に解決することは不可能である。更に企業内における資産管理等においては、個々の管理保管対象物品各々に通信タグを取付け大規模なコンピュ−タシステムによりその管理を行っている例が存在するが運用方法、投資額において一般家庭、中小零細企業内への導入は困難と見られる。
【０００４】
これまでの、音声適用による物品識別に関しては、物品取付け用通信タグと専用の通信装置を適用したものが知られている。
（例えば、特許文献１参照）
【特許文献１】特開２００１−３５０４８５
【０００５】
上記文献例では、対象物品個々に通信タグを装着し、それらとの交信を可能とする専用装置を準備し、物品管理者が事前に対象物品毎の物品名を音声録音にて登録、その情報は該物品付加通信タグにも識別子として登録されており、任意時点に対象物品付加通信タグ情報を専用装置にて読み取れば、該物品名が音声にて再生されるものであり、特に視覚障害者用に考案されたものである。
この場合、対象物品名が音声にて登録再生はなされるが、多くの対象物品を管理保管し、任意時点の特定物品の探索用に考案されたものではなく、課題は多く完成度は低いものと評価せざるを得ない。
【発明の開示】
【発明が解決しようとする課題】
【０００６】
本発明は、限られた空間内で複数の収納容器に多数の物品を管理保管している状態において、任意の時点に特定物品が必要な場合、その所在を探索する作業において、収納容器が一般的に階層化されていることを想定し、その上位階層容器に情報をリード／ライト可能で、しかも内部に演算機能を可能とするCPU及びデータベースの構築が可能な大容量メモリーを内蔵した通信タグを取付け、更に管理対象物品が収納されている最下位階層容器にも同様の通信タグを取付け、また一方、通信タグとの情報送受信、情報受信時の通信タグ内データベースからの引き出し情報の階層指定、音声録音再生等の機能実現指示に供する操作ボタン、音声録音用マイク、音声再生用スピーカ、該装置使用者を特定するセキュリティコード設定器等が装備され、更に人為操作信号を受け種々機能を実現する制御部と、管理対象である総ての収納容器内収納容器所及び収納容器内収納物品名相当情報である音声情報識別コードと一体化した音声情報を記憶する音声情報メモリー部を内蔵した小型軽量な可搬型の情報登録検索装置を用い、総ての管理対象物品名および階層構造の収納容器群の階層化ディレクトリー情報を事前にすべて収納容器取付け通信タグに物品管理者自らの音声にて登録しておき、物品管理者が任意時点に特定物品が必要な場合、既述情報登録検索装置により通信タグ内情報を一定手順で読み出し録音時の同一音声にてその所在を再生し聴覚確認することによりその目的が達成可能なシステムであり、管理対象物品数が膨大であり、その所在が多岐に亘る場合においても極めて容易に且つ迅速に対象物品の探索がコンピュータシステムの介在がなくとも実現でき更に収納現場環境が物理的に複雑な場合でも、通信タグとの交信さえ可能ならば、それ以外の制約は全く受けず、極めてコストパフォーマンスの高い管理システム実現が可能である。つまり
内部に演算機能を可能とするCPU及びデータベースの構築が可能な大容量メモリーを内蔵した通信タグを適用することにより、情報登録検索装置側では音声情報のみを保有し、物品自身の固有情報つまり物品名、自身の所在を示す情報は通信タグ側が保有しており、この所在を示す情報の中には管理容器の階層化情報を含んでいる。具体例を上げれば、家屋全体は最上位階層収納容器に相当し２階部屋のクローゼットは次階層収納容器に相当し、その中に存在する赤色収納箱は最下位収納容器に相当する、このように実際の保管状況を階層化ディレクトリーとして情報コード化し通信タグ内に記憶保管させておくことにより、管理保管対象物品数が膨大であっても最短パス経由にて探索対象物品への到達が可能である。つまり定量的に実例を上げて評価するならば、クローゼット・小型倉庫に相当する次階層収納容器数が１０個、それら１０個の収納容器各々に収納される収納箱に相当する最下位階層収納容器数が２０個、更にそれらに収納される物品数を２０個と仮定すれば管理保管可能対象物品数は、１０×２０×２０=４０００個となる。この場合に物品探索時の手順数の見極めを行うと、次階層対応にて最大要確認音声フレーズ数は１０、最下位階層対応では最大要確認音声フレーズ数は２０、更に物品名として最大要確認数は２０となり、１０+２０+２０=５０の音声フレーズを確認すれば対象物品の探索は完了する。但し当然のことながら各階層全音声フレーズを確認せずとも探索対象に合致すれば、探索時間はより短縮される。この試算から解るように各階層内の収納容器数、全体の階層数を最適調整すれば、膨大な管理保管対象物品数でも迅速に探索可能なシステムとなる。また既述手順を更に短縮するために本システムにおいては個々の通信タグ内に履歴管理機能を設けており、過去の探索数から優先的に頻度の高い情報を頭出ししその音声から確認可能となる機能も有しており、極めて利便性の高いシステムとなっている。
【０００７】
つまり、背景技術においては、対象物品個々に通信タグを装着し、それらとの交信を可能とする専用装置を準備し、物品管理者が事前に対象物品毎の物品名を音声録音にて登録、その情報は該物品付加通信タグにも識別子として登録されており、任意時点に対象物品付加通信タグ情報を専用装置にて読み取れば、該物品名が音声にて再生されるものであり、特に視覚障害者用に考案された物である。この場合、対象物品名が音声にて登録再生はなされるが、多くの対象物品を管理保管し、任意時点の特定物品の探索、さらに実用化の鍵となる探索時間短縮のための新たな技術要素が盛り込まれておらず管理保管物品の探索用に考案されたものではないという点が大きな課題である。本発明ではそれら課題を解決し実用性の高い物品管理システムを提供することを目的としている。
【課題を解決するための手段】
【０００８】
上述した課題を解決し、目的を達成するために、本発明の請求項１の物品管理システムは、管理保管対象物品の所在を事前登録しておき必要時にその所在を情報として探索するシステムであって、
１)  管理保管対象物品を複数個保管可能であり物理的区画空間を有する独立した収納容器と
２)  収納容器外面の通信可能な任意位置に取付けられ、物理的に小型堅牢で、該収納容器内収納物品名相当情報コードを総て登録管理可能な記憶容量のデータベースをその内部に有すると共に、外部から受信した情報コードを内部データベースに登録、外部からの指令信号により内部データベース情報を検索し送信、更に情報検索履歴管理等の機能を内部プログラムにより実行するＣＰＵを内蔵する構造であり、外部から任意時点に受信した該収納容器内収納物品名相当情報である音声情報識別コードを含む情報コードを解読のうえ内部情報コードデータベースの所定エリアに格納し、更に外部からの任意時点の指令信号により情報コードデータベースから物品名相当音声情報識別コードを読出し送信する機能を有する通信タグと、
３)  物理的に小型軽量な可搬型で通常使用持運び時の振動、衝撃にも耐えうる構造で、前記収納容器外面に取付けられた通信タグとの交信可能な近接距離で使用するものであり、その装置表面には、前記通信タグとの情報送受信、音声録音再生等の機能実現指示に供する操作ボタン、音声録音用マイク、音声再生用スピーカ、該装置使用者を特定するセキュリティコード設定器等が装備され、更に人為操作信号を受け種々機能を実現する制御部と、管理対象である総ての収納容器内収納物品名相当情報である音声情報識別コードと一体化した音声情報を記憶する音声情報メモリー部を内蔵する内部構造であり、前記収納容器内管理保管対象物品個々の固有名称として物品管理者が発した音声フレーズを録音し内部メモリー所定エリアに記憶させると同時にそれら各々の音声フレーズを音声情報識別コード化、その情報コードを該収納容器内管理保管物品相当との位置付けにより該収納容器外面に取付けられた通信タグに送信し通信タグ内情報コードデータベースに登録させておき、収納容器内物品探索必要時、物品管理者の操作により該通信タグから音声情報識別コードを受信し、そのコードに符合する録音済み音声情報を前記音声情報メモリー部から読出し前記該収納容器内管理保管対象物品の固有名称としての音声フレーズに再生、既述手順を繰り返し、その音声フレーズを順次聴覚確認することにより物品管理者が探索中の物品が該収納容器に収納されているか否かを確認する情報登録検索装置と、を備え収納容器内管理保管物品を対象に管理者が個々の物品名を固有名称として事前に音声フレーズとして登録、収納容器内物品探索必要時に情報登録検索装置により該通信タグから順次情報を読出し音声変換、聴覚確認することにより、該収納容器内を実際に人為的に探索しなくとも対象とする物品の所在を容易に確認可能とすることを特徴とする。
【０００９】
次に本発明の請求項２の物品管理システムは、管理保管対象物品の所在を事前登録しておき必要時にその所在を情報として探索するシステムであって、
１)  物理的区画空間を有する収納容器内部に複数の収納容器を収納、更にその収納容器内部に複数の収納容器が収納可能な階層化ディレクトリー構造を有しており、前記物品名相当探索対象物品の属性毎に階層化ディレクトリーは構成され、前記物品名相当探索対象物品が収納される容器が最下位階層容器に相当する収納容器群と、
２)  収納容器群の上位階層収納容器外面の通信可能な任意位置に取付けられ、物理的に小型堅牢で、
該上位階層収納容器内収納容器の所在を示す情報コード、更にその収納容器に収納される下位階層収納容器の所在を示す情報コードを総て登録管理可能な記憶容量のデータベースをその内部に有すると共に、外部から受信した情報コードを内部データベースに登録、外部からの指令信号により内部データベース情報を検索し送信、更に情報検索履歴管理等の機能を内部プログラムにより実行するＣＰＵを内蔵する構造であり、外部から任意時点に受信した該収納容器内収納容器所在情報である音声情報識別コード、該収納容器が属する階層情報であるディレクトリー階層指定コード及び該収納容器が属する上位階層収納容器を特定する情報であるディレクトリー階層間接続コードを含む情報コードを解読のうえ内部情報コードデータベースの所定エリアに格納し、更に外部からの任意時点の指令信号により情報コードデータベースから容器所在情報相当音声情報識別コードを読出し送信する機能を有する通信タグと、
３)  物理的に小型軽量な可搬型で通常使用持運び時の振動、衝撃にも耐えうる構造で、前記上位階層収納容器外面に取付けられた通信タグとの交信可能な近接距離で使用するものであり、その装置表面には、前記通信タグとの情報送受信、情報受信時の通信タグ内データベースからの引き出し情報の階層を指定するディレクトリー階層移動、音声録音再生等の機能実現指示に供する操作ボタン、音声録音用マイク、音声再生用スピーカ、該装置使用者を特定するセキュリティコード設定器等が装備され、更に人為操作信号を受け種々機能を実現する制御部と、管理対象である総ての収納容器内収納容器所在相当情報である音声情報識別コードと一体化した音声情報を記憶する音声情報メモリー部を内蔵する内部構造であり、物品管理者が物品探索をする場合、探索対象である物品名を探し出すまでにその物品が収納される何階層かの容器を上位階層からそのディレクトリーに従い下位階層に向かい順に探索し目的とした物品名にたどり着くことになるが、その探索手順を物品管理者自らが事前に音声情報として定義し登録しておく必要がある、即ち該探索対象物品個々が収納される最下位階層から上位階層までの階層容器毎にその階層レベルにふさわしく且つ下位階層に進むほど固有物品名特定に次第に近づくように具体性を帯びた固有属性表現を設け、更に下位階層に進むほどその所在の特定範囲が次第にせまくなるように容器所在を示す固有表現を設け、前者を主語、後者を述語として連結した文章表現で定義することにより各階層内同一属性の物品群の所在が明らかになる、つまりその階層対応の音声フレーズに従い上位階層からそれに属する下位階層へと階層化ディレクトリーを順次追って行くことにより対象物品名にたどりつくことが可能となり、物品管理者が発するそれら音声フレーズを録音し内部メモリー所定エリアに記憶させると同時にそれら各々の音声フレーズを音声情報識別コード化し、該音声フレーズの属する階層を指定するディレクトリー階層指定コード、該音声フレーズの属する階層が従属する階層との結びつきを指定するディレクトリー階層間接続コードを一連情報とし、それら情報コードを該管理保管物品収納容器特定情報との位置付けにより該収納容器外面に取付けられた通信タグに送信し通信タグ内情報コードデータベースに登録させておき、収納容器内物品探索必要時、物品管理者の操作により該通信タグから音声情報識別コードを上位階層から順に受信し探索を行うが、先ず上位階層の該音声情報識別コードに符合する録音済み音声情報を前記音声情報メモリー部から読出し探索対象物品収納容器の属性と所在を表現する音声フレーズに再生、既述手順を繰り返し、同一階層のその複数容器対応音声フレーズを順次聴覚確認することにより、物品管理者が探索対象としていた該当階層内における収納容器所在が把握可能となり、更に物品管理者の操作により特定済の該収納容器の下位従属階層容器対応の音声情報識別コードを通信タグから受信し、更に具体的表現となった音声フレーズを既述手順の繰り返しにより順次聴覚確認することにより、物品管理者が探索対象としていた該当階層内における収納容器所在が把握可能となる、従ってそれら一連の手順を上位階層から最下位階層まで繰返すことにより探索対象物品が収納される最下位階層容器の特定が可能となる機能を有する情報登録検索装置と、を備え階層構造内の収納容器を対象に物品管理者が探索対象に相当する登録物品の収納される収納容器に関する属性及びその所在を必要ディレクトリー数だけ音声フレーズ化、固有音声情報として録音、更にコード化し事前に該通信タグに登録、収納容器内物品探索必要時に情報登録検索装置により該通信タグから順次情報コードを読出し音声変換、聴覚確認することにより、該階層化収納容器内を実際に人為的に探索しなくとも対象とする物品が収納される容器の所在を迅速に確認可能とすることを特徴とする。
【００１０】
次に本発明の請求項３の物品管理システムは、請求項１及び請求項２の物品管理システムにおいて物品探索時、階層化容器に関する属性、所在を表現した音声フレーズを聴覚確認することにより順次探索対象の所在の特定を進めるが、探索し特定確認した際の各階層容器に関する該音声フレーズ相当の音声識別コードを該通信タグ内に複数回分常に記憶しておき、物品探索の際、過去複数回の探索行為の内、最も頻度の高かった音声フレーズ相当音声情報識別コードを該通信タグ内処理により抽出し送信、情報登録検索装置にて音声再生の際、優先的に該音声フレーズが頭だしされる制御機能を備えたことを特徴とする。
【００１１】
次に本発明の請求項４の物品管理システムは、請求項１及び請求項２の物品管理システムにおいて階層化構造収納容器に物品を収納し管理する際、物品管理に関わる複数関係者毎にセキュリティコードを設定し、各自のセキュリティコードを情報登録検索装置使用の際にセットしなければ、登録、探索機能一切を不能とし、更に自セキュリティコードセット時には自登録ディレクトリー、物品名しか探索できないよう規制する機能を備えたことを特徴とする。
【００１２】
上述の如く、本発明の物品管理システムは、限られた空間内で複数の収納容器に多数の物品を管理保管している状態において、任意の時点に特定物品が必要な場合、その所在を探索する作業において、収納容器が一般的に階層化されていることを想定し、その上位階層容器に情報をリード／ライト可能で、しかも内部に演算機能を可能とするCPU及びデータベースの構築が可能な大容量メモリーを内蔵した通信タグを取付け、更に管理対象物品が収納されている最下位階層容器にも同様の通信タグを取付け、また一方、通信タグとの情報送受信、情報受信時の通信タグ内データベースからの引き出し情報の階層指定、音声録音再生等の機能実現指示に供する操作ボタン、音声録音用マイク、音声再生用スピーカ、該装置使用者を特定するセキュリティコード設定器等が装備され、更に人為操作信号を受け種々機能を実現する制御部と、管理対象である総ての収納容器内収納容器所及び収納容器内収納物品名相当情報である音声情報識別コードと一体化した音声情報を記憶する音声情報メモリー部を内蔵した小型軽量な可搬型の情報登録検索装置を用い、総ての管理対象物品名および階層構造の収納容器群の階層化ディレクトリー情報を事前にすべて収納容器取付け通信タグに物品管理者自らの音声にて登録しておき、物品管理者が任意時点に特定物品が必要な場合、既述情報登録検索装置により通信タグ内情報を一定手順で読み出し録音時の同一音声にてその所在を再生し聴覚確認することによりその目的が達成可能なシステムであり、管理対象物品数が膨大であり、その所在が多岐に亘る場合においても極めて容易に且つ迅速に対象物品の探索がコンピュータシステムの介在がなくとも実現でき更に収納現場環境が物理的に複雑な場合でも、通信タグとの交信さえ可能ならば、それ以外の制約は全く受けず、極めて実効性の高い物品管理機能を有することを特徴とする。
【００１３】
従って、本発明によれば物品探索の迅速化を確実に可能とし、更に管理用コンピュータシステムを必要とせず、収納容器にCPU及び大容量メモリーを内蔵した通信タグを取付け、一方で小型軽量可搬型の専用装置を準備するのみで、簡単に管理が可能となる。更に物品名、物品の所在の登録、検索は管理者自らの音声にてなされるため、その表現も限られた関係者が容易に理解できる方言、組織内、家庭内慣用句での運用も可能であり、コンピュータ操作に不慣れな物品管理者でも容易に馴染め、親和性を有したシステムとして物品管理の人的手間の削減もみならず、管理に関する設備投資額を大幅に削減可能とし物品探索の課題解決に貢献するものである。
【発明の効果】
【００１４】
本発明は、限られた空間内で管理保管される物品の登録探索において従来コンピュータシステムの支援がなければ限界が見られた管理機能を大幅に前進させるものであり、人的手間の削減のみならず管理に関する設備投資額を削減可能とし、物品管理の確実化に貢献するものである。
【発明を実施するための最良の形態】
【００１５】
以下に、添付図面を参照して、この発明に関わる物品管理システムの実施の形態を詳細に説明する。但し、本発明の範囲は、図示に限定されるものではない。
【実施例１】
【００１６】
先ず、図１を基に管理対象個々の物品イメージに就き説明する。
図は、管理保管対象物品を後述の説明と関連付けるためにイメージとして比喩的に示したものであり、実際の管理物品とは何ら関係しない。
【００１７】
次に、図２を基に個々の物品を格納する収納容器イメージに就き説明する。
図は、管理保管対象物品が最下位階層容器に収納されている様子を後述の説明と関連付けるためにイメージとして比喩的に示したものであり、実際の収納形態とは何ら関係しない。
収納容器A-1  ２０１／B-1  ２０３／C-4  ２０２は最下位階層容器であり、例を上げるならば収納箱に相当する。各々には通信タグA-1  ２１１／B-1  ２１３／C-4  ２１２が取付けられており、該収納容器に収納される物品名情報が総て登録されている。
【００１８】
次に、図３を基に物品収納容器階層化イメージに就き説明する。
図は、階層化収納容器のイメージを表現しており、収納容器LS  ３２１が最上位階層容器であり、例を上げるならば家屋全体に相当する。収納容器A  ３１１／B  ３１２／C  ３１３が次階層容器であり、例を上げるならば家屋内収納庫に相当する。収納容器A-1  ２０１／A-2  ３３１／A-3  ３３２／A-4  ３３３、B-1  ２０３／B-2  ３３５／B-3  ３３４／C-1  ３３６／C-2  ３３７／C-3  ３３８／C-4２０２が最下位階層容器であり、例を上げるならば収納庫内収納箱に相当する。
管理用の通信タグLS  ３４１は、最上位レベルに１個設置する。
【００１９】
次に、図４を基にシステム構成に就き説明する。
図は、本システムの構成要素である情報登録検索装置４０１と通信タグ４０２の内部構成を示している。情報管理分担としては情報登録検索装置４０１では、音声情報メモリー部４08にて物品管理者自身の生音声が総て録音されている、一方通信タグ４０２では、情報コードデータベース部４２６にて既述音声にリンクした音声情報識別コードのみが記憶されており、物品探索時は、通信タグ内記憶音声識別コードを読み出しそれを鍵として該生音声を引き出し再生する。セキュリティコード設定部４１９は、関係者毎に専用コードをアサインしておき、本装置使用時そのコードを設定、その結果として個人毎に使用可能範囲を限定するものである。音声情報識別コード生成アサイン部４１２は、既述の如く生音声の登録、再生時のキーとなり、常に生音声情報とリンクして使用される情報コードを生成、該音声情報に付加する機能を有する。ディレクトリー階層指定コード生成部４１３で生成したコード情報は、通信タグ内でのデータベース構築時に該音声情報識別コードが、どの階層に位置すべきであるかを定義するものである。ディレクトリー階層間接続コード生成部４１４で生成したコード情報は、通信タグ内でのデータベース構築時に該音声情報識別コードがどの階層のどの収納容器に従属するかを定義するものである。通信タグ内データベース情報登録検索司令部４１５は、通信タグとの通信をはじめとして諸々の制御の中枢機能部分である。音声情報一時記憶部４１６は、生音声録音時に処理の都合で一旦生音声情報を記憶させるメモリーである。音声情報登録検索機能部４１７は、登録検索の際の音声情報メモリー部４０８との情報やりとりの仲介機能を有している。セキュリティコード付加照合機能部４１８は、セキュリティコード設定部４１９での設定コードをベースとして情報登録時には該登録情報に該セキュリティコードを付加しておき、検索時は通信タグ４０２からの受信情報を参照しその中に含まれるセキュリティコードを現状の情報登録検索装置４０１の操作者のセキュリティコードと照合する機能を有する。コード不一致の場合は、該音声情報は再生されない。情報解読機能部４２４は、受信した情報に付加されているコード情報を解読し、自登録情報が階層化容器に関する情報もしくは物品名であるかの判別を行う。
情報コード登録検索制御部４２５は、情報コードデータベース部４０２へのコード情報登録、検索制御する機能を有する。情報コード検索履歴部４２７は、過去の情報探索履歴を記録しておき、情報検索要求受信時、その頻度の最も高い情報コードを最優先にて送信する機能を有する。
【００２０】
次に、図５を基に通信タグ内構築ディレクトリーイメージに就き説明する。
図は、物品管理の一例として一般家庭内を例として、その家財道具の管理体系をイメージとして示している。図示例は３階層の場合であるが、階層数は運用の都合に合わせ自由に設定可能である。
【００２１】
次に、図６を基に情報登録処理フローに就き説明する。
図は、情報登録検索装置から最上位階層容器取付け通信タグLSに対し、収納容器の所在フレーズを音声登録する処理を示している。S60３にて情報登録検索装置表面ボタン操作信号を受信して処理が開始される。S605は音声情報メモリー部への登録ステージであり、音声識別情報コードと生音声情報を一体として記憶させている。一方S606では通信タグ内部でデータベースを構築するのに必要なコード情報のみ送信している。S６０７までの処理で次階層の音声フレーズ登録が一応完了した場合、S609以降で登録済みの次階層生音声情報を再度順次聴取して行き、操作者が従属階層に音声文章を登録したいと考えている親となる次階層音声フレーズが探索できた時点、これがS６１３のYesのポイントとなり、以降は該次階層容器に従属する最下位階層容器に関する登録処理がなされる。
【００２２】
次に、図７を基に情報登録処理フローに就き説明する。
図は、情報登録検索装置から最下位階層容器取付け通信タグ○―ｎ等へ物品名を音声登録する処理を示している。この場合、階層的な構造情報は扱わず単なる物品名を順次登録するだけの処理であり、最下位収納容器数相当の通信タグに対し同様の処理がなされる。
【００２３】
次に、図８を基に情報登録処理フローに就き説明する。
図は、音声情報登録処理時の通信タグの内部処理を示している。S８０４にて自通信タグが階層情報の登録管理が必要な次階層容器用であるか、単なる物品名を登録管理する最下位階層容器用であるかの判断を行っている。
【００２４】
次に、図９を基に情報探索処理フローに就き説明する。
図は、情報登録検索装置から最上位階層容器取付け通信タグLSに対し、収納容器の所在を探索する処理を示している。S９0３にて情報登録検索装置表面ボタン操作信号を受信して処理が開始される。先ず収納庫に相当する次階層収納容器の所在を示す音声フレーズを順次聴取して行き、操作者の探索する物品が収納される次階層容器が探索された時点、これがS９０８のYesのポイントとなり、以下更に収納箱に相当する該従属階層の音声フレーズの確認を行う。その結果、S917のYesのポイントが最下位階層収納容器探索が完了したポイントに相当する。その後操作者は、該最下位階層収納容器の存在する場所に移動する。
【００２５】
次に、図１０を基に物品探索処理フローに就き説明する。
図は、情報登録検索装置から最下位階層容器取付け通信タグ○―ｎに対し、収納容器内管理保管物品名を探索する処理を示している。順次物品名を読出し確認を行う。
【００２６】
次に、図１１を基に物品探索処理フローに就き説明する。
図は、探索処理時の通信タグ内の処理を示している。S１１０５により、最上位階層収納容器取付け通信タグＬＳ対応であるか、もしくは最下位階層収納容器取付け通信タグ○―ｎであるかの判別を行っている。Ｓ１１１０／Ｓ１１１２／Ｓ１１１５にて履歴管理としての記憶処理を行っており、一連の探索処理で送信した複数の情報コードの内、最後に送信した音声情報識別コードが常に上書き記録されている。従って、Ｓ１１０３において探索開始時、過去の履歴として記憶した既述音声情報識別コードを履歴スタックメモリーの最上段部にプッシュダウン記憶させると共に該音声情報識別コードのデータベース内記憶ポイントを音声フレーズ送信順序決定用ポインター（Ｎ）（ｎ）（ｍ）にプリセットする。
【００２７】
次に、図１２を基に情報登録検索装置から通信タグに送信される情報フォーマットに就き説明する。図は、通信タグ内で管理する情報及びベータベース構築に必要な情報を示している。
（1）（4）は管理される情報であり、（2）（3）はそれら情報を管理する階層化ディレクトリー構造のデータベース構築情報に相当する。
【００２８】
次に、図１３を基に通信タグ内構築データベースメモリーマップイメージに就き説明する。
図は、通信タグＬＳにて管理される次階層／最下位階層の収納容器の所在管理情報及び最下位階層収納容器に取付けられた通信タグ○―ｎにて管理される物品名情報を示す。通信タグ○−ｎに就いては図示の如く情報コード（4）のみが管理対象である。
【００２９】
次に、図１４を基に情報登録検索装置内音声情報メモリーマップイメージに就き説明する。
図は、情報登録検索装置内音声情報メモリー部にて記憶される内容に相当しており、音声フレーズ相当の生音声情報とそれら音声フレーズを読み出す鍵となる音声情報識別コードのみで構成されている。
【００３０】
次に、図１５を基に探索履歴管理メモリースタック構成に就き説明する。
図は、各通信タグ内にて管理される情報であり、探索時間短縮、即ち手順を減らすために使用される処理に用いられる。図中最上位枠は、一次記憶用メモリーであり、一連の探索処理で送信した複数の情報コードの内、最後に送信した音声情報識別コードが常に上書き記録されており、所定のタイミングでその下に位置するメモリ―スタック最上段にプッシュダウン記憶される。メモリースタック内の複数情報が過去の物品探索履歴に相当する音声情報識別コードに相当しており、各スタック内に最も多く含まれる音声情報識別コードを最優先送信用として抽出する機能に供する。
【００３１】
さて、これまで本発明の実施の形態に就いて説明したが、本発明は既述した実施の形態以外にも、上記特許請求の範囲に記載した技術的思想の範囲内において種々異なる実施の形態に実施されてもよいものである。
【００３２】
実施例において説明した各処理の内、自動的に行われるものとして説明した処理の全部または一部を人為作業にて行うことも可能である。またあるいは人為的に行うものとして説明した処理の全部または一部を公知の方法で自動的に行うこともできる。この他、既述文章中で示した処理手順、具体的名称に就いては、特記する場合を除いて任意に変更することができる。
また図示した各構成要素は機能概念的なものであり、必ずしも物理的に図示の如く構成されていることを要しない。
【産業上の利用可能性】
【００３３】
本発明は、多数の物品管理に利用できる。
【図面の簡単な説明】
【００３４】
【図１】管理対象個々の物品イメージ
【図２】個々の物品を格納する収納容器イメージ
【図３】物品収納容器階層化イメージ
【図４】システム構成
【図５】通信タグ内構築ディレクトリー（階層化）イメージ（３階層の場合）
【図６】情報登録処理フロー（情報登録検索装置から通信タグＬＳへの物品収納容器所在音声フレーズ登録）
【図７】情報登録処理フロー（情報登録検索装置から通信タグ○−ｎ等への物品名登録）
【図８】情報登録処理フロー（通信タグ内部）
【図９】物品探索処理フロー（情報登録検索装置よる物品探索容器の探索）
【図１０】物品探索処理フロー（情報登録検索装置による収納容器内物品の探索）
【図１１】物品探索処理フロー（通信タグ内部）
【図１２】情報登録検索装置から通信タグに送信される情報フォーマット
【図１３】通信タグ内構築データベースメモリーマップイメージ（３階層時）
【図１４】情報登録検索装置内音声情報メモリーマップイメージ
【図１５】探索履歴管理メモリースタック構成（各通信タグ内に構築）
【符号の説明】
【００３５】
１０１  物品（1）
１０２  物品（2）
１０３  物品（3）
１０４  物品（4）
１０５  物品（5）
１０６  物品（6）
１０７  物品（7）
１０８  物品（8）
１０９  物品（9）
１２０  物品（10）
２０１  収納容器A-1
２０２  収納容器C-4
２０３  収納容器B-1
２１１  通信タグA-1
２１２  通信タグC-4
２１３  通信タグB-1
３１１  収納容器A
３１２  収納容器B
３１３  収納容器C
３２１  収納容器LS
３３１  収納容器A-2
３３２  収納容器A-3
３３３  収納容器A-4
３３４  収納容器B-3
３３５  収納容器B-2
３３６  収納容器C-1
３３７  収納容器C-2
３３８  収納容器C-3
３４１  通信タグLS
４０１  情報登録検索装置
４０２  通信タグ
４０３  アンテナ部
４０４  信号送受信部
４０５  音声入力部
４０６  手動操作部
４０７  電源部
４０８  音声情報メモリー部
４０９  音声再生部
４１０  スピーカ部
４１１  制御部
４１２  音声情報識別コード生成アサイン部
４１３  ディレクトリー階層指定コード生成部
４１４  ディレクトリー階層間接続コード生成部
４１５  通信タグ内データベース情報登録検索指令部
４１６  音声情報一時記憶部
４１７  音声情報登録検索機能部
４１８  セキュリティコード付加照合機能部
４１９  セキュリティコード設定部
４２１  アンテナ部
４２２  信号送受信部
４２３  電源部
４２４  情報解読機能部
４２５  情報コード登録検索制御部
４２６  情報コードデータベース部
４２７  情報コード検索履歴管理部
【図１】
2010105756.tif 000003
【図２】
2010105756.tif 000004
【図３】
2010105756.tif 000005
【図４】
2010105756.tif 000006
【図５】
2010105756.tif 000007
【図６】
2010105756.tif 000008
【図７】
2010105756.tif 000009
【図８】
2010105756.tif 000010
【図９】
2010105756.tif 000011
【図１０】
2010105756.tif 000012
【図１１】
2010105756.tif 000013
【図１２】
2010105756.tif 000014
【図１３】
2010105756.tif 000015
【図１４】
2010105756.tif 000016
【図１５】
2010105756.tif 000017